(57)【要約】【課題】利用者が小銭等を準備等することなく利用でき、且つコストを低減することができる自動精算システム等を提供すること【解決手段】識別情報格納手段１６２と金額情報格納手段１６２と金額処理手段１７２と位置情報取得手段１３０と位置情報を課金開始情報及び／または課金終了情報と関連付けて課金位置情報として格納する課金位置情報格納手段１３１、１３２とを備える情報端末装置と、前記識別情報の適否を判断する第１の識別情報判断手段２２１と前記課金開始情報及び／または前記課金終了情報を生成する課金情報生成手段２２４とを備える認証装置と、前記識別情報の適否を判断する第２の識別情報判断手段３１１と前記課金位置情報に基づいて精算金額を算出する精算金額演算手段３１４とを備える決済装置とで自動精算システム１０を構成する。【選択図】  図１
2004246415.tif 000002
【特許請求の範囲】
【請求項１】
識別情報格納手段と、
金額情報格納手段と、
前記金額情報格納手段に格納された金額を処理する金額処理手段と、
位置情報取得手段と、
前記位置情報取得手段で取得された位置情報を課金開始情報及び／または課金終了情報と関連付けて課金位置情報として格納する課金位置情報格納手段と、
情報を送受信するための端末側通信手段と、を備える情報端末装置と、
前記情報端末装置から受信した前記識別情報の適否を判断する第１の識別情報判断手段と、
前記情報端末装置に送信するための前記課金開始情報及び／または前記課金終了情報を生成する課金情報生成手段と、
前記情報端末装置と情報を送受信するための認証装置側通信手段と、を備える認証装置と、
前記情報端末装置から受信した前記識別情報の適否を判断する第２の識別情報判断手段と、
前記情報端末装置から受信した前記課金位置情報に基づいて精算金額を算出する精算金額演算手段と、
前記情報端末装置と情報の送受信をする決済装置側通信手段と、を備える決済装置と、を有する自動精算システム。
【請求項２】
前記情報端末装置が、情報格納媒体と携帯端末本体とを有し、
前記情報格納媒体は、前記識別情報格納手段、前記金額情報格納手段及び前記金額処理手段を有し、
前記携帯端末本体は、前記位置情報取得手段と前記課金位置情報格納手段とを有し、
前記端末側通信手段が、媒体側通信手段、本体側通信手段とを有し、
前記媒体側通信手段は、前記認証装置と非接触で情報を送受信可能な構成となっている認証用通信手段と、前記本体側通信手段と接続するための本体用接続手段と、を有し、
前記本体側通信手段は、前記決済装置と通信可能な決済用通信手段と、前記媒体側接続部と接続するための媒体用接続手段と、を有し、
前記本体用接続手段と前記媒体用接続手段とは相互に通信可能に連結されると共に、着脱可能な構成となっていることを特徴とする請求項１に記載の自動精算システム。
【請求項３】
識別情報格納手段と、
金額情報格納手段と、
位置情報取得手段と、
前記位置情報取得手段で取得された位置情報を認証装置からの課金開始情報及び／または課金終了情報と関連付けて課金位置情報として格納する課金位置情報格納手段と、
決済装置からの精算金額情報に基づいて前記金額情報格納手段に格納された金額を処理する金額処理手段と、
情報を前記認証装置又は前記決済装置との間で送受信するための端末側通信手段と、を備えることを特徴とする情報端末装置。
【請求項４】
情報端末装置の端末側通信手段が、識別情報を認証装置へ送信する識別情報発信工程と、
前記認証装置の第１の識別情報判断手段が、受信した前記識別情報の適否を判断する第１の識別情報判断工程と、
前記認証装置の課金情報生成手段が、課金開始情報を生成する課金開始情報生成工程と、
前記認証装置の認証装置側通信手段が、前記課金開始情報を前記情報端末装置に送信する課金開始情報発信工程と、
前記情報端末装置の位置情報取得手段が開始位置情報を取得する開始位置情報取得工程と、
前記情報端末装置の課金情報生成手段が、前記開始位置情報取得工程で取得された前記開始位置情報を前記課金開始情報と関連付けて課金開始位置情報として課金位置情報格納手段に格納する課金開始位置情報格納工程と、
前記認証装置の課金情報生成手段が、課金終了情報を生成する課金終了情報生成工程と、
前記認証装置の認証装置側通信手段が、前記課金終了情報を前記情報端末装置に送信する課金終了情報発信工程と、
前記情報端末装置の位置情報取得手段が終了位置情報を取得する終了位置情報取得工程と、
前記情報端末装置の課金情報生成手段が、前記終了位置情報取得工程で取得された前記終了位置情報を前記課金終了情報と関連付けて課金終了位置情報として課金位置情報格納手段に格納する課金終了位置情報格納工程と、
前記情報端末装置の端末側通信手段が、前記識別情報、前記課金開始位置情報及び前記課金終了位置情報を決済装置に送信する決済情報発信工程と、
前記決済装置の第２の識別情報判断手段が、受信した前記識別情報の適否を判断する第２の識別情報判断工程と、
前記決済装置の精算金額演算手段が、受信した前記課金開始位置情報及び前記課金終了位置情報に基づいて精算金額を算出する精算金額演算工程と、
前記決済装置の決済装置側通信手段が、算出された前記精算金額を前記情報端末装置に送信する決済装置側通信工程と、
前記情報端末装置の減額処理手段が前記金額情報格納手段から前記精算金額を減額処理する減額処理工程と、を有することを特徴とする自動精算方法。
【請求項５】
情報端末装置の端末側通信手段が、識別情報を認証装置へ送信する識別情報発信工程と、
前記情報端末装置の位置情報取得手段が開始位置情報を取得する開始位置情報取得工程と、
前記情報端末装置の課金情報生成手段が、前記開始位置情報取得工程で取得された前記開始位置情報を認証装置から取得した課金開始情報と関連付けて課金開始位置情報として課金位置情報格納手段に格納する課金開始位置情報格納工程と、
前記情報端末装置の位置情報取得手段が終了位置情報を取得する終了位置情報取得工程と、
前記情報端末装置の課金情報生成手段が、前記終了位置情報取得工程で取得された前記終了位置情報を前記認証装置から取得した課金終了情報と関連付けて課金終了位置情報として前記課金位置情報格納手段に格納する課金終了位置情報格納工程と、
前記情報端末装置の端末側通信手段が、前記識別情報、前記課金開始位置情報及び前記課金終了位置情報を決済装置に送信する決済情報発信工程と、
前記情報端末装置の減額処理手段が前記金額情報格納手段から前記決済装置から取得した精算金額を減額処理する減額処理工程と、を有することを特徴とする情報端末装置の制御方法。
【請求項６】
コンピュータに、情報端末装置の端末側通信手段が、識別情報を認証装置へ送信する識別情報発信工程と、
前記認証装置の第１の識別情報判断手段が、受信した前記識別情報の適否を判断する第１の識別情報判断工程と、
前記認証装置の課金情報生成手段が、課金開始情報を生成する課金開始情報生成工程と、
前記認証装置の認証装置側通信手段が、前記課金開始情報を前記情報端末装置に送信する課金開始情報発信工程と、
前記情報端末装置の位置情報取得手段が開始位置情報を取得する開始位置情報取得工程と、
前記情報端末装置の課金情報生成手段が、前記開始位置情報取得工程で取得された前記開始位置情報を前記課金開始情報と関連付けて課金開始位置情報として課金位置情報格納手段に格納する課金開始位置情報格納工程と、
前記認証装置の課金情報生成手段が、課金終了情報を生成する課金終了情報生成工程と、
前記認証装置の認証装置側通信手段が、前記課金終了情報を前記情報端末装置に送信する課金終了情報発信工程と、
前記情報端末装置の位置情報取得手段が終了位置情報を取得する終了位置情報取得工程と、
前記情報端末装置の課金情報生成手段が、前記終了位置情報取得工程で取得された前記終了位置情報を前記課金終了情報と関連付けて課金終了位置情報として課金位置情報格納手段に格納する課金終了位置情報格納工程と、
前記情報端末装置の端末側通信手段が、前記識別情報、前記課金開始位置情報及び前記課金終了位置情報を決済装置に送信する決済情報発信工程と、
前記決済装置の第２の識別情報判断手段が、受信した前記識別情報の適否を判断する第２の識別情報判断工程と、
前記決済装置の精算金額演算手段が、受信した前記課金開始位置情報及び前記課金終了位置情報に基づいて精算金額を算出する精算金額演算工程と、
前記決済装置の決済装置側通信手段が、算出された前記精算金額を前記情報端末装置に送信する決済装置側通信工程と、
前記情報端末装置の減額処理手段が前記金額情報格納手段から前記精算金額を減額処理する減額処理工程と、を実行させるための自動精算プログラム。
【請求項７】
コンピュータに、情報端末装置の端末側通信手段が、識別情報を認証装置へ送信する識別情報発信工程と、
前記情報端末装置の位置情報取得手段が開始位置情報を取得する開始位置情報取得工程と、
前記情報端末装置の課金情報生成手段が、前記開始位置情報取得工程で取得された前記開始位置情報を認証装置から取得した課金開始情報と関連付けて課金開始位置情報として課金位置情報格納手段に格納する課金開始位置情報格納工程と、
前記情報端末装置の位置情報取得手段が終了位置情報を取得する終了位置情報取得工程と、
前記情報端末装置の課金情報生成手段が、前記終了位置情報取得工程で取得された前記終了位置情報を前記認証装置から取得した課金終了情報と関連付けて課金終了位置情報として前記課金位置情報格納手段に格納する課金終了位置情報格納工程と、
前記情報端末装置の端末側通信手段が、前記識別情報、前記課金開始位置情報及び前記課金終了位置情報を決済装置に送信する決済情報発信工程と、
前記情報端末装置の減額処理手段が前記金額情報格納手段から前記決済装置から取得した精算金額を減額処理する減額処理工程と、を実行させるための情報端末装置の制御プログラム。
【請求項８】
コンピュータに、情報端末装置の端末側通信手段が、識別情報を認証装置へ送信する識別情報発信工程と、
前記認証装置の第１の識別情報判断手段が、受信した前記識別情報の適否を判断する第１の識別情報判断工程と、
前記認証装置の課金情報生成手段が、課金開始情報を生成する課金開始情報生成工程と、
前記認証装置の認証装置側通信手段が、前記課金開始情報を前記情報端末装置に送信する課金開始情報発信工程と、
前記情報端末装置の位置情報取得手段が開始位置情報を取得する開始位置情報取得工程と、
前記情報端末装置の課金情報生成手段が、前記開始位置情報取得工程で取得された前記開始位置情報を前記課金開始情報と関連付けて課金開始位置情報として課金位置情報格納手段に格納する課金開始位置情報格納工程と、
前記認証装置の課金情報生成手段が、課金終了情報を生成する課金終了情報生成工程と、
前記認証装置の認証装置側通信手段が、前記課金終了情報を前記情報端末装置に送信する課金終了情報発信工程と、
前記情報端末装置の位置情報取得手段が終了位置情報を取得する終了位置情報取得工程と、
前記情報端末装置の課金情報生成手段が、前記終了位置情報取得工程で取得された前記終了位置情報を前記課金終了情報と関連付けて課金終了位置情報として課金位置情報格納手段に格納する課金終了位置情報格納工程と、
前記情報端末装置の端末側通信手段が、前記識別情報、前記課金開始位置情報及び前記課金終了位置情報を決済装置に送信する決済情報発信工程と、
前記決済装置の第２の識別情報判断手段が、受信した前記識別情報の適否を判断する第２の識別情報判断工程と、
前記決済装置の精算金額演算手段が、受信した前記課金開始位置情報及び前記課金終了位置情報に基づいて精算金額を算出する精算金額演算工程と、
前記決済装置の決済装置側通信手段が、算出された前記精算金額を前記情報端末装置に送信する決済装置側通信工程と、
前記情報端末装置の減額処理手段が前記金額情報格納手段から前記精算金額を減額処理する減額処理工程と、を実行させるための自動精算プログラムを記録したコンピュータ読み取り可能な記録媒体。
【請求項９】
コンピュータに、情報端末装置の端末側通信手段が、識別情報を認証装置へ送信する識別情報発信工程と、
前記情報端末装置の位置情報取得手段が開始位置情報を取得する開始位置情報取得工程と、
前記情報端末装置の課金情報生成手段が、前記開始位置情報取得工程で取得された前記開始位置情報を認証装置から取得した課金開始情報と関連付けて課金開始位置情報として課金位置情報格納手段に格納する課金開始位置情報格納工程と、
前記情報端末装置の位置情報取得手段が終了位置情報を取得する終了位置情報取得工程と、
前記情報端末装置の課金情報生成手段が、前記終了位置情報取得工程で取得された前記終了位置情報を前記認証装置から取得した課金終了情報と関連付けて課金終了位置情報として前記課金位置情報格納手段に格納する課金終了位置情報格納工程と、
前記情報端末装置の端末側通信手段が、前記識別情報、前記課金開始位置情報及び前記課金終了位置情報を決済装置に送信する決済情報発信工程と、
前記情報端末装置の減額処理手段が前記金額情報格納手段から前記決済装置から取得した精算金額を減額処理する減額処理工程と、を実行させるための情報端末装置の制御プログラムを記録したコンピュータ読み取り可能な記録媒体。
【発明の詳細な説明】
【０００１】
【発明の属する技術分野】
本発明は、例えばバス等の運賃等を自動的に精算する自動精算システム、自動精算システム、情報端末装置、自動精算方法、情報端末装置の制御方法、自動精算プログラム、情報端末装置の制御プログラム、自動精算プログラムを記録したコンピュータ読み取り可能な記録媒体、情報端末装置の制御プログラムを記録したコンピュータ読み取り可能な記録媒体に関するものである。
【０００２】
【従来の技術】
従来より、例えば路線バスの運行等については各種の運転支援システムが提示されている（例えば、特許文献１参照）。
例えば、ワンマンバスは総合情報処理装置を有し、この総合情報処理装置には、ワンマンバスが運行される路線データ、アナウンスデータ及び料金データを格納したメモリを備えると共に、バスの位置を認識する位置認識装置、車速センサー、乗降センサー、アナウンス発声装置、料金管理装置が接続されている。
このため路線運行車両の料金表示、整理券発行機、車内アナウンス等は、運転手の操作を介入することなく、総合情報処理装置が位置認識装置からの位置情報や車速センサーからの車速データ、乗降扉センサーからの扉開閉データに基づき自動的に制御するようにしている。
したがって、実際の停留所と料金表示、整理券、アナウンスの不一致を防止でき、運転手の作業を軽減して、運転手が運転に集中できる運転支援システムとなっている。
【０００３】
【特許文献１】
特開平９−１６８９５号公報
【０００４】
【発明が解決しようとする課題】
しかし、路線バスを利用する利用者は乗車する区間に対応する料金を支払うため小銭を準備したり両替をしたりする必要があり、利用し難いといった問題があった。
また、バスには整理券発行装置、運賃表示装置等を設置する必要がありその分コストアップの要因となるという問題があった。
【０００５】
本発明は、以上の点に鑑み、利用者が小銭等を準備等することなく利用でき、且つコストを低減することができる自動精算システム、情報端末装置、自動精算方法、情報端末装置の制御方法、自動精算プログラム、情報端末装置の制御プログラム、自動精算プログラムを記録したコンピュータ読み取り可能な記録媒体、情報端末装置の制御プログラムを記録したコンピュータ読み取り可能な記録媒体を提供することを目的とする。
【０００６】
【課題を解決するための手段】
前記目的は、本発明によれば、識別情報格納手段と、金額情報格納手段と、
前記金額情報格納手段に格納された金額を処理する金額処理手段と、位置情報取得手段と、前記位置情報取得手段で取得された位置情報を課金開始情報及び／または課金終了情報と関連付けて課金位置情報として格納する課金位置情報格納手段と、情報を送受信するための端末側通信手段と、を備える情報端末装置と、
前記情報端末装置から受信した前記識別情報の適否を判断する第１の識別情報判断手段と、前記情報端末装置に送信するための前記課金開始情報及び／または前記課金終了情報を生成する課金情報生成手段と、前記情報端末装置と情報を送受信するための認証装置側通信手段と、を備える認証装置と、前記情報端末装置から受信した前記識別情報の適否を判断する第２の識別情報判断手段と、前記情報端末装置から受信した前記課金位置情報に基づいて精算金額を算出する精算金額演算手段と、前記情報端末装置と情報の送受信をする決済装置側通信手段と、
を備える決済装置と、を有する自動精算システムにより達成される。
【０００７】
前記構成によれば、前記情報端末装置は、前記識別情報格納手段と前記端末側通信手段とを有しているので、自己の識別情報（例えば会員ＩＤ番号等）を前記認証装置に送信できる。
また、前記認証装置は、前記第１の識別情報判断手段を有しているので、前記情報端末情報の自己の識別情報の適否を判断できる。
そして、前記認証装置は、前記課金情報生成手段と前記認証装置側通信手段を有するので、前記識別情報を送信した前記情報端末装置に前記課金開始情報及び／または前記課金終了情報を送信することができる。
次に、前記情報端末装置は、前記位置情報取得手段と前記課金位置情報格納手段とを有するので、前記位置情報取得手段で取得された例えば乗車位置の位置情報と、前記認証装置が送信した前記課金開始情報を関連付けて、例えば乗車位置情報等の課金位置情報を前記課金位置情報格納手段に格納することができる。
【０００８】
その後、前記情報端末装置が、前記位置情報取得手段で取得された降車位置の位置情報と、前記認証装置が送信した前記課金終了情報を関連付けて、例えば降車位置情報等の課金位置情報を前記課金位置情報格納手段に格納することができる。
そして、前記情報端末装置が、前記課金位置情報格納手段に格納されている例えば乗車位置の課金位置情報と、例えば降車位置の課金位置情報、並びに前記識別情報格納手段の会員ＩＤ番号等の識別情報を前記決済装置に送信する。
前記決済装置は、前記第２の識別情報判断手段を有するので、前記情報端末装置から送信された前記識別情報の適否を判断できる。
また、前記決済装置は、前記精算金額演算手段を有するので、前記情報端末装置から送信された例えば乗車位置の課金位置情報と、例えば降車位置の課金位置情報に基づいて、例えば運賃等の精算金額を算出することができる。
そして、前記決済装置は、前記決済装置側通信手段を有するので、前記運賃等の精算金額を前記情報端末装置に送信することができる。
また、前記情報端末装置は、金額情報格納手段と、前記金額処理手段を有しているので、前記決済装置側通信手段から送信された精算金額に基づいて、前記金額情報格納手段内の金額を処理することができる。
したがって、本発明の自動精算システムの利用者が前記情報端末装置を所持すれば、例えばバスの運賃等の支払いを現金でなく行うことができるので、利用者は、バス等に乗るための小銭の用意等をする必要がなくバス等を利用し易くなる。
また、バス等の運行会社も整理券発行装置、運賃表示装置等をバス等に設置する必要がないので、バス等に搭載される装置への投資や負荷を軽減することができる。
【０００９】
好ましくは、前記情報端末装置が、情報格納媒体と携帯端末本体とを有し、
前記情報格納媒体は、前記識別情報格納手段、前記金額情報格納手段及び前記金額処理手段を有し、前記携帯端末本体は、前記位置情報取得手段と前記課金位置情報格納手段とを有し、前記端末側通信手段が、媒体側通信手段、本体側通信手段とを有し、前記媒体側通信手段は、前記認証装置と非接触で情報を送受信可能な構成となっている認証用通信手段と、前記本体側通信手段と接続するための本体用接続手段と、を有し、前記本体側通信手段は、前記決済装置と通信可能な決済用通信手段と、前記媒体側接続部と接続するための媒体用接続手段と、を有し、前記本体用接続手段と前記媒体用接続手段とは相互に通信可能に連結されると共に、着脱可能な構成となっていることを特徴とする自動精算システムである。
【００１０】
前記構成によれば、前記情報端末装置が、情報格納媒体と携帯端末本体とを有し、前記情報格納媒体には、前記識別情報格納手段、前記金額情報格納手段及び前記金額処理手段を有している。
このため、利用者は例えばＩＣカード等の情報格納媒体の前記識別情報格納手段に自己の会員ＩＤ番号等の識別番号を格納すると共に、前記金額情報格納手段に前記金額処理手段を用いて金額を入金することができる。
一方、前記携帯端末本体は、前記位置情報取得手段と前記課金位置情報格納手段とを有している。
このように、利用者の個人情報等を前記情報格納媒体に格納し、利用者間で共通の情報は前記携帯端末本体で取得し格納する構成となっているため、利用者各人が自己専用の前記情報格納媒体を所持していれば、一の前記携帯端末本体を共通で使用することができるので、利用者は、より低コストで本発明の自動精算システムを利用することができる。
【００１１】
また、前記媒体側通信手段は前記本体用接続手段を有し、前記本体側通信手段は前記媒体用接続手段を有し、前記本体用接続手段と前記媒体用接続手段とは相互に通信可能に連結されると共に、着脱可能な構成となっている。
このため、利用者は容易に前記情報格納媒体を前記携帯端末本体に装着でき、若しくは取り外すことができる。
また、前記媒体側通信手段は、前記認証用通信手段を有しているので、前記情報格納媒体は、非接触で前記認証装置と通信できる。
さらに、前記本体側通信手段は、前記決済用通信手段を有しているので、前記携帯端末本体は、前記決済装置と通信可能となっている。
【００１２】
前記目的は、本発明によれば、識別情報格納手段と、金額情報格納手段と、  位置情報取得手段と、前記位置情報取得手段で取得された位置情報を認証装置からの課金開始情報及び／または課金終了情報と関連付けて課金位置情報として格納する課金位置情報格納手段と、決済装置からの精算金額情報に基づいて前記金額情報格納手段に格納された金額を処理する金額処理手段と、情報を前記認証装置又は前記決済装置との間で送受信するための端末側通信手段と、を備えることを特徴とする情報端末装置により達成される。
【００１３】
前記構成によれば、自動精算システムと同様に、本発明の情報端末装置の利用者が情報端末装置を所持すれば、例えばバスの運賃等の支払いを現金でなく行うことができるので、利用者は、バス等に乗るための小銭の用意等をする必要がなくバス等を利用し易くなる。
また、バス等の運行会社も整理券発行装置、運賃表示装置等をバス等に設置する必要がないので、バス等に搭載される装置への投資や負荷を軽減することができる。
【００１４】
前記目的は、本発明によれば、情報端末装置の端末側通信手段が、識別情報を認証装置へ送信する識別情報発信工程と、前記認証装置の第１の識別情報判断手段が、受信した前記識別情報の適否を判断する第１の識別情報判断工程と、前記認証装置の課金情報生成手段が、課金開始情報を生成する課金開始情報生成工程と、前記認証装置の認証装置側通信手段が、前記課金開始情報を前記情報端末装置に送信する課金開始情報発信工程と、前記情報端末装置の位置情報取得手段が開始位置情報を取得する開始位置情報取得工程と、前記情報端末装置の課金情報生成手段が、前記開始位置情報取得工程で取得された前記開始位置情報を前記課金開始情報と関連付けて課金開始位置情報として課金位置情報格納手段に格納する課金開始位置情報格納工程と、前記認証装置の課金情報生成手段が、課金終了情報を生成する課金終了情報生成工程と、前記認証装置の認証装置側通信手段が、前記課金終了情報を前記情報端末装置に送信する課金終了情報発信工程と、前記情報端末装置の位置情報取得手段が終了位置情報を取得する終了位置情報取得工程と、前記情報端末装置の課金情報生成手段が、前記終了位置情報取得工程で取得された前記終了位置情報を前記課金終了情報と関連付けて課金終了位置情報として課金位置情報格納手段に格納する課金終了位置情報格納工程と、前記情報端末装置の端末側通信手段が、前記識別情報、前記課金開始位置情報及び前記課金終了位置情報を決済装置に送信する決済情報発信工程と、前記決済装置の第２の識別情報判断手段が、受信した前記識別情報の適否を判断する第２の識別情報判断工程と、前記決済装置の精算金額演算手段が、受信した前記課金開始位置情報及び前記課金終了位置情報に基づいて精算金額を算出する精算金額演算工程と、前記決済装置の決済装置側通信手段が、算出された前記精算金額を前記情報端末装置に送信する決済装置側通信工程と、前記情報端末装置の減額処理手段が前記金額情報格納手段から前記精算金額を減額処理する減額処理工程と、を有することを特徴とする自動精算方法により達成される。
前記構成によれば、上述の自動精算システムと同様の作用、効果を奏する。
【００１５】
前記目的は、本発明によれば、情報端末装置の端末側通信手段が、識別情報を認証装置へ送信する識別情報発信工程と、前記情報端末装置の位置情報取得手段が開始位置情報を取得する開始位置情報取得工程と、前記情報端末装置の課金情報生成手段が、前記開始位置情報取得工程で取得された前記開始位置情報を認証装置から取得した課金開始情報と関連付けて課金開始位置情報として課金位置情報格納手段に格納する課金開始位置情報格納工程と、前記情報端末装置の位置情報取得手段が終了位置情報を取得する終了位置情報取得工程と、前記情報端末装置の課金情報生成手段が、前記終了位置情報取得工程で取得された前記終了位置情報を前記認証装置から取得した課金終了情報と関連付けて課金終了位置情報として前記課金位置情報格納手段に格納する課金終了位置情報格納工程と、前記情報端末装置の端末側通信手段が、前記識別情報、前記課金開始位置情報及び前記課金終了位置情報を決済装置に送信する決済情報発信工程と、前記情報端末装置の減額処理手段が前記金額情報格納手段から前記決済装置から取得した精算金額を減額処理する減額処理工程と、を有することを特徴とする情報端末装置の制御方法により達成される。
前記構成によれば、上述の情報端末装置と同様の作用、効果を奏する。
【００１６】
前記目的は、本発明によれば、コンピュータに、情報端末装置の端末側通信手段が、識別情報を認証装置へ送信する識別情報発信工程と、前記認証装置の第１の識別情報判断手段が、受信した前記識別情報の適否を判断する第１の識別情報判断工程と、前記認証装置の課金情報生成手段が、課金開始情報を生成する課金開始情報生成工程と、前記認証装置の認証装置側通信手段が、前記課金開始情報を前記情報端末装置に送信する課金開始情報発信工程と、前記情報端末装置の位置情報取得手段が開始位置情報を取得する開始位置情報取得工程と、前記情報端末装置の課金情報生成手段が、前記開始位置情報取得工程で取得された前記開始位置情報を前記課金開始情報と関連付けて課金開始位置情報として課金位置情報格納手段に格納する課金開始位置情報格納工程と、前記認証装置の課金情報生成手段が、課金終了情報を生成する課金終了情報生成工程と、前記認証装置の認証装置側通信手段が、前記課金終了情報を前記情報端末装置に送信する課金終了情報発信工程と、前記情報端末装置の位置情報取得手段が終了位置情報を取得する終了位置情報取得工程と、前記情報端末装置の課金情報生成手段が、前記終了位置情報取得工程で取得された前記終了位置情報を前記課金終了情報と関連付けて課金終了位置情報として課金位置情報格納手段に格納する課金終了位置情報格納工程と、前記情報端末装置の端末側通信手段が、前記識別情報、前記課金開始位置情報及び前記課金終了位置情報を決済装置に送信する決済情報発信工程と、  前記決済装置の第２の識別情報判断手段が、受信した前記識別情報の適否を判断する第２の識別情報判断工程と、前記決済装置の精算金額演算手段が、受信した前記課金開始位置情報及び前記課金終了位置情報に基づいて精算金額を算出する精算金額演算工程と、前記決済装置の決済装置側通信手段が、算出された前記精算金額を前記情報端末装置に送信する決済装置側通信工程と、前記情報端末装置の減額処理手段が前記金額情報格納手段から前記精算金額を減額処理する減額処理工程と、を実行させるための自動精算プログラムにより達成される。
前記構成によれば、前記構成によれば、上述の自動精算システムと同様の作用、効果を奏する。
【００１７】
前記目的は、本発明によれば、コンピュータに、情報端末装置の端末側通信手段が、識別情報を認証装置へ送信する識別情報発信工程と、前記情報端末装置の位置情報取得手段が開始位置情報を取得する開始位置情報取得工程と、前記情報端末装置の課金情報生成手段が、前記開始位置情報取得工程で取得された前記開始位置情報を認証装置から取得した課金開始情報と関連付けて課金開始位置情報として課金位置情報格納手段に格納する課金開始位置情報格納工程と、前記情報端末装置の位置情報取得手段が終了位置情報を取得する終了位置情報取得工程と、前記情報端末装置の課金情報生成手段が、前記終了位置情報取得工程で取得された前記終了位置情報を前記認証装置から取得した課金終了情報と関連付けて課金終了位置情報として前記課金位置情報格納手段に格納する課金終了位置情報格納工程と、前記情報端末装置の端末側通信手段が、前記識別情報、前記課金開始位置情報及び前記課金終了位置情報を決済装置に送信する決済情報発信工程と、
前記情報端末装置の減額処理手段が前記金額情報格納手段から前記決済装置から取得した精算金額を減額処理する減額処理工程と、を実行させるための情報端末装置の制御プログラムにより達成される。
前記構成によれば、上述の情報端末装置と同様の作用、効果を奏する。
【００１８】
前記目的は、本発明によれば、コンピュータに、情報端末装置の端末側通信手段が、識別情報を認証装置へ送信する識別情報発信工程と、前記認証装置の第１の識別情報判断手段が、受信した前記識別情報の適否を判断する第１の識別情報判断工程と、前記認証装置の課金情報生成手段が、課金開始情報を生成する課金開始情報生成工程と、前記認証装置の認証装置側通信手段が、前記課金開始情報を前記情報端末装置に送信する課金開始情報発信工程と、前記情報端末装置の位置情報取得手段が開始位置情報を取得する開始位置情報取得工程と、前記情報端末装置の課金情報生成手段が、前記開始位置情報取得工程で取得された前記開始位置情報を前記課金開始情報と関連付けて課金開始位置情報として課金位置情報格納手段に格納する課金開始位置情報格納工程と、前記認証装置の課金情報生成手段が、課金終了情報を生成する課金終了情報生成工程と、前記認証装置の認証装置側通信手段が、前記課金終了情報を前記情報端末装置に送信する課金終了情報発信工程と、前記情報端末装置の位置情報取得手段が終了位置情報を取得する終了位置情報取得工程と、前記情報端末装置の課金情報生成手段が、前記終了位置情報取得工程で取得された前記終了位置情報を前記課金終了情報と関連付けて課金終了位置情報として課金位置情報格納手段に格納する課金終了位置情報格納工程と、前記情報端末装置の端末側通信手段が、前記識別情報、前記課金開始位置情報及び前記課金終了位置情報を決済装置に送信する決済情報発信工程と、
前記決済装置の第２の識別情報判断手段が、受信した前記識別情報の適否を判断する第２の識別情報判断工程と、前記決済装置の精算金額演算手段が、受信した前記課金開始位置情報及び前記課金終了位置情報に基づいて精算金額を算出する精算金額演算工程と、前記決済装置の決済装置側通信手段が、算出された前記精算金額を前記情報端末装置に送信する決済装置側通信工程と、前記情報端末装置の減額処理手段が前記金額情報格納手段から前記精算金額を減額処理する減額処理工程と、を実行させるための自動精算プログラムを記録したコンピュータ読み取り可能な記録媒体により達成される。
前記構成によれば、上述の自動精算システムと同様の作用、効果を奏する。
【００１９】
前記目的は、本発明によれば、コンピュータに、情報端末装置の端末側通信手段が、識別情報を認証装置へ送信する識別情報発信工程と、前記情報端末装置の位置情報取得手段が開始位置情報を取得する開始位置情報取得工程と、前記情報端末装置の課金情報生成手段が、前記開始位置情報取得工程で取得された前記開始位置情報を認証装置から取得した課金開始情報と関連付けて課金開始位置情報として課金位置情報格納手段に格納する課金開始位置情報格納工程と、前記情報端末装置の位置情報取得手段が終了位置情報を取得する終了位置情報取得工程と、前記情報端末装置の課金情報生成手段が、前記終了位置情報取得工程で取得された前記終了位置情報を前記認証装置から取得した課金終了情報と関連付けて課金終了位置情報として前記課金位置情報格納手段に格納する課金終了位置情報格納工程と、前記情報端末装置の端末側通信手段が、前記識別情報、前記課金開始位置情報及び前記課金終了位置情報を決済装置に送信する決済情報発信工程と、
前記情報端末装置の減額処理手段が前記金額情報格納手段から前記決済装置から取得した精算金額を減額処理する減額処理工程と、を実行させるための情報端末装置の制御プログラムを記録したコンピュータ読み取り可能な記録媒体により達成される。
前記構成によれば、上述の情報端末装置と同様の作用、効果を奏する。
【００２０】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明の自動精算システムの実施の形態であるバス自動運賃精算システム１０を示す概略図である。
図１に示すようにバス自動運賃精算システム１０は、本システムを利用する利用者（甲）が所持する情報端末装置である例えば携帯端末装置１００と、バス（乙）に搭載される認証装置である例えば乗降車認証装置２００とを有している。
また、バス自動運賃精算システム１０は、携帯端末装置１００と携帯電話の基地局１１を介して接続される決済装置である例えば決済サーバ３００を有している。
この決済サーバ３００は、図１に示すように決済センタ１２に配置されている。
【００２２】
また、携帯端末装置１００は携帯端末本体１１０と、情報格納媒体である例えばＩＣカード１５０とを有している。
そして、この携帯端末本体１１０は後述するように位置情報取得手段である例えばＧＰＳ（Ｇｌｏｂａｌ  Ｐｏｓｉｔｉｏｎｉｎｇ  Ｓｙｓｔｅｍ）装置１１１を有しており、このＧＰＳ装置１１１は、図１のＧＰＳ衛星１３ａ乃至１３ｄから信号を受信することで、自己の位置情報である緯度、経度及び高度を認識できる構成となっている。
【００２３】
（携帯端末本体１１０等のハードウエア構成等について）
図２は携帯端末本体１１０の主なハードウエア構成を示す概略図である。
図２に示すように携帯端末本体１１０は、例えばコンピュータ等を有しており、コンピュータは、バス１１２を有しており、このバス１１２に、ＣＰＵ（Ｃｅｎｔｒａｌ  Ｐｒｏｃｅｓｓｉｎｇ  Ｕｎｉｔ）１１３、ＲＡＭ（ＲａｎｄｏｍＡｃｃｅｓｓ  Ｍｅｍｏｒｙ）１１４、ＲＯＭ（Ｒｅａｄ  Ｏｎｌｙ  Ｍｅｍｏｒｙ）１１５等が配置されている。
そして、このバス１１２には、ＧＰＳ装置１１１と、情報を送受信するための端末側通信手段であり、本体側通信手段であり、決済サーバ３００と通信可能な決済用通信手段である例えば携帯通信装置１１６が接続されている。
この携帯通信装置１１６は、基地局１１を介して決済サーバ３００と情報の授受をする構成となっている。
【００２４】
また、バス１１２には、ＩＣカード１５０に格納される情報を読み出したり、書き込みを行うために本体側ＩＣカードリードライト装置１１７が接続されている。
この本体側ＩＣカードリードライト装置１１７には、ＩＣカード１５０と接続するための媒体用接続手段である例えば本体側接続装置１１７ａが設けられている。
さらに、バス１１２には、テンキー等の入力装置１１８やディスプレイ等の表示装置１１９も接続されている。
【００２５】
すなわち、このバス１１２はすべてのデバイスを接続する機能を有し、アドレスやデータパスを有する内部パスである。
ＣＰＵ１１３は所定のプログラムの処理を行う他、バス１１２に接続されたＲＯＭ１１４等を制御している。ＲＯＭ１１４は、各種プログラムや各種情報等を格納している。
ＲＡＭ１１４は、プログラム処理中のメモリの内容を対比したり、プログラムを実行するためのエリアとしての機能を有する。
【００２６】
（ＩＣカード１５０のハードウエア構成等について）
図３はＩＣカード１５０の主なハードウエア構成等を示す概略図である。
図３に示すように、ＩＣカード１５０も、コンピュータを有しており、コンピュータは、携帯端本体１１０と同様に、バス１１２を有し、バス１１２には、ＣＰＵ１１３、ＲＡＭ１１４、ＲＯＭ１１８等がされている。
また、このバス１１２には、端末側通信手段であり、媒体側通信手段であり、乗降車認証装置２００と非接触で情報を送受信可能な構成となっている認証用通信手段である例えばアンテナ装置１５１が接続されている。
このため、ＩＣカード１５０は非接触で乗降車認証装置２００と情報の授受ができる構成となっている。
【００２７】
また、バス１１２には、図２の本体側接続装置１１７ａと接続するための本体用接続手段である例えばＩＣ側接続装置１５２も接続されている。
ところで、図３のＩＣ側接続装置１５１と図２の本体側接続装置１１７ａとは相互に通信可能に連結されると共に、容易に着脱可能な構成となっている。
このため、図１の利用者（甲）はＩＣカード１５０を容易に携帯端末本体１１０に装着できるだけでなく、容易に取り外すこともできる構成となっている。
【００２８】
（乗降車認証装置２００のハードウエア構成等について）
図４は、乗降車認証装置２００の主なハードウエア構成等を示す概略図である。図４に示すように、乗降車認証装置２００はコントローラ２１０とＩＣカード１５０と情報を送受信するための認証装置側通信手段である例えば認証側ＩＣカードリードライト装置２５０を有している。
コントローラ２１０は、図３の携帯端末本体１１０と同様にバス１１２と、バス１１２に接続されたＣＰＵ１１３、ＲＡＭ１１４、ＲＯＭ１１５、入力装置１１８、表示装置１１９を有すると共に、バス１１２はハードディスク１２０やコントロール側ＩＦ回路１２１が接続されている。
コントロール側ＩＦ回路１２１は、シリアル等の中間周波増幅回路（ＩＦ  ａｍｐｌｉｆｉｅｒ）で構成されている。
【００２９】
一方、認証側ＩＣカードリードライト装置２５０は、図３のＩＣカード１５０のアンテナ装置１５１との間で信号の授受を行う他、図４に示すようにリードライト側ＩＦ回路２５１を有している。
このリードライト側ＩＦ回路２５１はコントローラ２１０のコントローラ側ＩＦ回路１２１と同様の構成となっている。
このため、これらリードライト側ＩＦ回路２５１とコントローラ側ＩＦ回路１２１との間はシリアル等のＩＦ接続され、認証側ＩＣカードリードライト装置２５０とコントローラ２１０との間で信号の授受が可能な構成となっている。
【００３０】
（決済サーバ３００のハードウエア構成等について）
図５は決済サーバ３００の主なハードウエア構成等を示す概略図である。
図５に示すように決済サーバ３００は、図４のコントローラ２１０と同様にバス１１２を有し、このバス１１２には、ＣＰＵ１１３、ＲＡＭ１１４、ＲＯＭ１１５、入力装置１１８、表示装置１１９、ハードディスク１２０が接続されている。
また、バス１１２には、携帯端末本体１１０と情報の送受信をする決済装置側通信手段である例えば決済側通信装置３０１が接続されている。
この決済側通信装置３０１は基地局１１等を介して携帯電話回線等を用いて通信を行う構成となっている。
【００３１】
（携帯端末本体１１０等のソフトウエア構成等について）
図６は、携帯端末本体１１０の主なソフトウエア構成等を示す概略図である。
図６に示すように、携帯端末本体１１０は、ＧＰＳ衛星１３ａ乃至１３ｄからの位置信号を取得する位置情報取得部１３０を有している。
具体的には、位置情報取得部１３０は、例えば乗車位置情報や降車位置情報を取得する。
また、携帯端末本体１１０は、位置情報取得部１３０で取得された緯度、経度及び高度等の乗車位置情報や降車位置情報等の位置情報を、課金開始情報である例えば乗車認証情報又は課金終了情報である例えば降車認証情報と関連付けて課金位置情報として格納する課金位置情報格納手段を有している。
【００３２】
すなわち、乗車位置情報と乗車認証情報とを関連付けて課金開始位置情報として格納する課金位置情報格納手段の一例が図６の課金開始位置情報データベース１３１である。また、降車位置情報と降車認証情報とを関連付けて課金終了位置情報として格納する課金位置情報格納手段の一例が課金終了位置情報データベース１３２である。
さらに、携帯端末本体１１０は識別情報格納手段である例えば会員ＩＤ情報データベース１３３を有している。
【００３３】
また、携帯端末本体１１０は、図６に示すように、ＩＣカード１５０からの情報を受信するＩＣカード情報受信部１３４を有している。そして、このＩＣカード情報受信部１３４で受信した情報をその情報の種類によって各データベース１３１乃至１３３に振り分けて入力するＩＣカード情報判断部１３５も有している。
また、携帯端末本体１１０は、決済サーバ３００へ送信するための情報を各データベース１３１乃至１３３から取得するセンタ用情報取得部１３６と、センタ用情報取得部１３６が取得した情報を決済サーバ３００へ送信するセンタ用情報発信部１３７（端末側通信手段及び決済用通信手段の一例）を有している。
【００３４】
また、携帯端末本体１１０は、図２の表示装置１１９を制御するための表示装置制御部１３８を有すると共に、決済サーバ３００からのエラー信号を受信する携帯側エラー情報受信部１３９（端末側通信手段及び決済用通信手段の一例）も有している。
さらに、携帯端末本体１１０は、決済サーバ３００からに運賃情報を受信する携帯側運賃情報受信部１４０（端末側通信手段及び決済用通信手段の一例）と、携帯側運賃情報受信部１４０で受信した運賃情報をＩＣカード１５０へ発信する携帯側運賃情報発信部１４１（端末側通信手段の一例）を有している。
【００３５】
（ＩＣカード１５０等のソフトウエア構成等について）
図７は、ＩＣカード１５０等の主なソフトウエア構成等を示す概略図である。図７に示すように、ＩＣカード１５０には、図１の利用者（甲）の例えば会員ＩＤ番号等を個人情報データベース１６２に入力するための会員ＩＤ情報入力部１６０が設けられている。
また、利用者（甲）が運賃を個人情報データベース１６２に予め入金するための金額情報入力部１６１を有している。
個人情報データベース１６２（識別情報格納手段及び金額情報格納手段の一例）には、これら会員ＩＤ番号や入金された金額の情報が格納されている。
【００３６】
また、ＩＣカード１５０には、利用者（甲）がバスに乗車する際、バスに配置されている乗降車認証装置２００に、利用者（甲）の会員ＩＤ番号等を送信する会員ＩＤ情報発信部１６３（認証用通信手段の一例）を有している。
また、乗降車認証装置２００からの乗車認証情報を受信する乗車認証情報受信部１６４（認証用通信手段の一例）や、乗降車認証装置２００からの降車認証情報を受信する降車認証情報受信部１６５（認証用通信手段の一例）を有している。
これら各受信部１６４、１６５で受信された認証情報は、認証情報発信部１６６（本体用接続手段の一例）によって携帯端末本体１１０に送信される。
【００３７】
また、乗降車認証装置２００から送信されるエラー信号はＩＣカード側エラー情報受信部（認証用通信手段の一例）によって受信され、ＩＣカード側エラー情報発信部１６８（本体用接続手段の一例）によって携帯端末本体１１０に送信され、携帯端末本体１１０の表示装置１１９に表示される構成となっている。
また、金額情報入力部１６１で入力された金額情報は、個人情報データベース１６２に格納されると共に、金額情報発信部１６７（本体用接続手段の一例）により携帯端末本体１１０に送信され、携帯端末本体１１０の表示装置１１９に表示される構成となっている。
また、ＩＣカード１５０は、携帯端末本体１１０から送信される運賃情報を受信するためのＩＣカード側運賃情報受信部１７０（本体用接続手段の一例）を有し、残高判断部１７１が個人情報データベース１６２内の金額の残高を判断する。
そして、残高がある場合は、減額処理部１７２（個人情報データベース１６２に格納された金額を処理する金額処理手段の一例）で減額し、残高が不足する場合は不足情報発信部１７３（本体用接続手段の一例）で不足情報を携帯端末本体１１０に送信し、携帯端末本体１１０の表示装置１１９に表示する構成となっている。
【００３８】
（乗降車認証装置２００等のソフトウエア構成等について）
図８は、乗降車認証装置２００の主なソフトウエア構成等を示す概略図である。
乗降車認証装置２００には、ＩＣカード１５０からの送信される会員ＩＤ番号等の情報を受信する会員ＩＤ情報受信部２２０（認証装置側通信手段の一例）が備わっている。
また、この会員ＩＤ番号等の情報の適否を判断する第１の識別情報判断手段である例えば会員ＩＤ情報判断部２２１を有している。
この会員ＩＤ情報判断部２２１は、会員ＩＤ番号等が格納されている会員ＩＤデータベース２２２を参照して、会員ＩＤ番号等の適否を判断する。
この会員ＩＤ情報判断部２２１で会員ＩＤ番号等が適当でないと判断されると、認証側エラー情報発信部２２３（認証装置側通信手段の一例）がエラー信号をＩＣカード１５０へ発信する構成となっている。
【００３９】
一方、会員ＩＤ情報判断部２２１で会員ＩＤ番号等が適当と判断されると、ＩＣカード１５０に送信するための課金開始情報及び／または課金終了情報を生成する課金情報生成手段である例えば乗車登録判断処理部２２４で以下のように判断される。
すなわち、情報者登録判断処理部２２４は、乗車記録が格納されている乗車登録データベース２２５を参照し、乗車記録がない場合は、乗車認証情報発信部（認証装置側通信手段の一例）から乗車認証情報をＩＣカード１５０へ送信する。一方、乗車記録がある場合は、降車認証情報発信部２２７（認証装置側通信手段の一例）から降車認証情報をＩＣカード１５０へ送信する。
【００４０】
（決済サーバ３００等のソフトウエア構成等について）
図９は、決済サーバ３００の主なソフトウエア構成等を示す概略図である。
決済サーバ３００は、携帯端末本体１１０と情報の送受信をする決済装置側通信手段である例えば携帯通信情報受信部３１０を有している。
また、決済サーバ３００は、携帯端末本体１１０から携帯通信情報受信部３１０を介して受信した会員ＩＤ番号等の識別情報の適否を判断する第２の識別情報判断手段である例えば会員ＩＤ情報判断部３１１を有している。
この会員ＩＤ情報判断部３１１は会員ＩＤ番号等を格納している会員ＩＤデータベース３１２を参照して会員ＩＤ番号等の適否を判断する。そして、適当でないと判断した場合は、センタ側エラー情報発信部３１３（決済装置側通信手段の一例）がエラー信号を携帯端末本体１１０に送信する。
【００４１】
一方、会員ＩＤ情報判断部３１１が適当であると判断した場合は、携帯端末本体１１０から受信した課金位置情報（すなわち、上述の乗車位置情報と乗車認証情報とを関連付けられている課金開始位置情報と、降車位置情報と降車認証情報とを関連付けられている課金終了位置情報と）に基づいて積算金額を算出する精算金額演算手段である例えば金額演算部３１４が、例えば運賃を算出する。
すなわち、決算サーバ３００は、前記課金開始位置情報及び課金終了位置情報の緯度及び経度の位置情報をバス停留所に変換する緯度経度−バス停変換データベース３１５を有している。
この緯度経度−バス停変換データベース３１５は、バス停の緯度経度の情報をテーブルとして持っているため、緯度経度の情報により直ちにバス停の名称が判明する構成となっている。
【００４２】
また、決済サーバ３００は、運賃精算データベース３１６を有している。図１０は、運賃精算データベース３１６の一例を示す図である。
図１０に示すように、運賃精算データベース３１６は、緯度経度−バス停変換データベース３１５で変換されたバス停、具体的には、乗車位置であるバス停と降車位置であるバス停の名称に基づいた運賃がテーブルとして備わっている。
このため、金額演算部３１４は、緯度経度−バス停変換データベース３１５と運賃精算データベース３１６を参照することで、利用者（甲）の運賃を算出することができる構成となっている。
また、決済サーバ３００はセンタ側運賃情報発信部３１７（決済装置側通信手段の一例）を有しており、金額演算部３１４で算出した運賃情報を基地局１１等を介して携帯端末本体１１０へ送信する構成となっている。
【００４３】
（バス自動運賃精算システム１０等の動作等について）
バス自動運賃精算システム１０は以上のように構成等されているが、以下、その動作等について以下説明する。
以下では、図１の利用者（甲）がバス停ａでバス（乙）に乗車し、バス停ｂで降車する場合を例に説明する。
図１１乃至図１６はバス自動運賃精算システム１０等の動作等を示す概略フローチャートである。
【００４４】
（事前ステップ）
先ず、本システムを利用するには、利用者（甲）は事前に以下の手続を行う。
図１１のＳＴ１に示すように、会員ＩＤ情報を入力する。すなわち、ＩＣカード１５０に利用者（甲）の会員ＩＤ番号等を入力する。具体的には図７の会員ＩＤ情報入力部１６０から個人情報データベース１６２に会員ＩＤ番号等が登録される。
次に、図１１のＳＴ２に示すように入金処理が行われる。すなわち、図７の金額情報入力部１６１から金額（例えば１０００円）が入金される。
そして、図１１のＳＴ３に示すようにＩＣカード１５０が装着される。すなわち、利用者（甲）は、自己のＩＣカード１５０の図３のＩＣ側接続装置１５２と、携帯端末本体１１０の図２の本体側接続装置１１７ａとを相互に通信可能に接続する。
【００４５】
また、図１１のＳＴ４及びＳＴ５に示すように、会員ＩＤ情報が登録される。すなわち、利用者（甲）の会員ＩＤ番号等は乗降車認証装置２００の会員ＩＤデータベース２２２（図６）及び決済センタに配置される決済サーバ３００の会員ＩＤデータベース３１２に登録される
以上で事前ステップが終了する。
【００４６】
（乗車ステップ）
利用者（甲）はＩＣカード１５０を装着した携帯端末本体１１０を所持して図１のバス停ａでバス（乙）に乗車する。
バス（乙）には、乗降車認証装置２００が搭載されているので、利用者（甲）は、ＩＣカード１５０を乗降車認証装置２００の認証側ＩＣカードリードライト装置２５０（図４）に近づける。すると、ＩＣカード１５０のアンテナ装置１５１から会員ＩＤ番号等が非接触で送信される。
すなわち、図７のＩＣカード１５０の会員ＩＤ情報発信部１６３から会員ＩＤ番号等の情報が図８の乗降車認証装置２００の会員ＩＤ情報受信部２２０に送信される。
これが、図１１のＳＴ６の会員ＩＤ情報発信であり、情報端末装置の端末側通信手段が、識別情報を認証装置へ送信する識別情報発信工程の一例である。
【００４７】
次に、図１１のＳＴ７の会員ＩＤ情報受信を行う。すなわち図８の会員ＩＤ情報受信部２２０が会員ＩＤ番号等を受信する。
そして、図８の会員ＩＤ情報判断部２２１が受信した会員ＩＤ番号等の読み取りに成功したか否かを判断し（図１１のＳＴ８）、読み取りに失敗した場合は、図８の認証側エラー情報発信部２２３から読み取りエラー信号をＩＣカード１５０へ非接触で発信する（図１１のＳＴ９）。
【００４８】
すると、ＩＣカード１５０は図７のＩＣカード側エラー情報受信部１６７で読み取りエラー信号を受信して（図１１のＳＴ１０）、ＩＣカード側エラー情報発信部１６８で読み取りエラー信号を携帯端末本体１１０に送信する（図１１のＳＴ１１）。
次に、図６の携帯端末本体１１０のＩＣカード情報受信部１３４が読み取りエラー信号を受信して（図１１のＳＴ１２）、表示装置制御部１３８が読み取りエラー信号を図２の表示装置１１９に表示させる（図１１のＳＴ１３）。
これにより、利用者（甲）は、エラーであることがわかり、再びＩＣカード１５０を乗降車認証装置２００に近づけて、自己の会員ＩＤ番号等の情報を送信することとなる。
【００４９】
一方、図１１のＳＴ８で会員ＩＤ番号等の読み取りに成功した場合は、図８の会員ＩＤ情報判断部２２１は会員ＩＤデータベース２２２を参照して、会員ＩＤ番号等の適否を判断する（図１１のＳＴ１４）（第１の識別情報判断工程の一例）。
会員ＩＤ情報判断部２２１が適当でないと判断した場合は、認証側エラー情報発信部２２３が、会員ＩＤエラー信号を発信し（ＳＴ１５）、ＩＣカード１５０のＩＣカード側エラー情報受信部１６７が受信し（ＳＴ１６）、ＩＣカード側エラー情報発信部１６８が会員ＩＤエラー信号を携帯端末本体１１０へ発信する（ＳＴ１７）。
【００５０】
携帯端末本体１１０の図６のＩＣカード情報受信部１３４が会員ＩＤエラー信号を受信し（ＳＴ１８）、表示装置制御部１３８が表示装置１１８にエラー信号を表示する（ＳＴ１９）。
したがって、利用者（甲）は会員ＩＤ番号等の入力が正しかったか否かを確認することができる。
【００５１】
一方、ＳＴ１４で会員ＩＤ番号等が適当であると判断された場合は、図８の乗車登録判断処理部２２４で乗車登録データベース２２５を参照して既に乗車登録をしているか否かを判断する（ＳＴ２０）。
そして、乗車登録を未だしていない場合は、乗車登録データベース２２５に乗車登録を行い（ＳＴ２１）、図８の乗車認証情報発信部２２６が乗車認証情報をＩＣカード１５０へ送信する（ＳＴ２２）。
すなわち、これは、乗降車認証装置２００の課金情報生成手段である例えば乗車登録判断処理部２２４が課金開始情報である例えば乗車認証情報を生成する課金開始情報生成工程の一例であり、この乗車認証情報をＩＣカード１５０に送金する課金開始情報発信工程の一例である。
【００５２】
次に、図７のＩＣカード１５０の乗車認証情報受信部１６４は乗車認証情報を受信し（ＳＴ２３）、認証情報発信部１６６が携帯端末本体１１０へ乗車認証情報を発信する（ＳＴ２４）。
次に、図６の携帯端末本体１１０のＩＣカード情報受信部１３４が乗車認証情報を受信する（ＳＴ２５）。
一方、同時にＧＰＳ装置１１１の位置情報取得部１３０がバス停ａの乗車位置情報（開始位置情報）である緯度及び経度等の情報を取得する（ＳＴ２６）（開始位置情報取得工程）
次に、課金情報生成手段である例えばＩＣカード情報判断部１３５及び位置情報取得部１３０がＳＴ２６で取得した乗車位置情報と、ＳＴ２５で取得した乗車認証情報とを関連付けて課金開始位置情報として課金開始位置情報データベース１３１に登録する（ＳＴ２７）（課金開始位置情報格納工程の一例）。
以上で乗車ステップが終了する。
【００５３】
（降車ステップ）
利用者（甲）は図１のバス停ｂで降車する。この際、上述のＳＴ６乃至ＳＴ１９と同様の処理であるＳＴ２８乃至ＳＴ４１が行われる。
そして、その後、ＳＴ４２に示すように乗車登録済みか否かを判断する。
すなわち、図８の乗降車認証装置２００の乗車登録判断処理部２２４は、乗車登録データベース２２５を参照して、利用者（甲）の会員ＩＤ番号等について乗車登録がなされているか否かを判断する。
そして、乗車登録されていない場合は、乗車時の登録漏れと判断して矢印Ｅで示すＳＴ２１に戻り、乗車登録を行うか、それ以外の処理を行う。
【００５４】
一方、乗車登録されている場合は、図８の乗車登録判断処理部２２４は、乗車登録データベース２２５の乗車登録を削除する（ＳＴ４３）。
そして、図８の乗車登録判断処理部２２４が降車認証情報（課金終了情報の一例）を生成する（課金終了情報生成工程の一例）。
そして、降車認証情報発信部２２７が、この降車認証情報をＩＣカード１５０へ発信する（ＳＴ４４）（課金終了情報発信工程の一例）。
降車認証情報はＩＣカード１５０の降車認証情報受信部１６５が受信して（ＳＴ４５）、認証情報発信部１６６が携帯端末本体１１０に発信する（ＳＴ４６）。
【００５５】
次に、携帯端末本体１１０のＩＣカード情報受信部１３４で降車認証情報を受信する（ＳＴ４７）。
また、同時にＧＰＳ装置１１１の位置情報取得部１３０がバス停ｂの降車位置情報（終了位置情報）である緯度及び経度等の情報を取得する（ＳＴ４８）（終了位置情報取得工程の一例）
次に、課金情報生成手段である例えばＩＣカード情報判断部１３５及び位置情報取得部１３０がＳＴ４８で取得した降車位置情報と、ＳＴ４７で取得した降車認証情報とを関連付けて課金終了位置情報として課金終了位置情報データベース１３２に登録する（ＳＴ４９）（課金終了位置情報格納工程の一例）。
以上で降車ステップが終了する。
【００５６】
（決済ステップ）
利用者（甲）はバス（乙）の利用が終了すると精算のための決済ステップを行う。
ＳＴ５０に示すように、乗車位置、降車位置、会員ＩＤ情報を取得する。すなわち、図６のセンタ用情報取得部１３６は、会員ＩＤ情報データベース１３３から利用者（甲）の会員ＩＤ番号等の情報を取得する。また、課金開始位置情報データベース１３１からは、乗車位置情報を取得し、課金終了位置情報データベース１３２からは、降車位置情報を取得する。
そして、センタ用情報発信部１３７が各情報を基地局１１を介して決済サーバ３００へ送信する（ＳＴ５０）（決済情報発信工程の一例）。
すると、図９の決済サーバ３００の携帯通信情報受信部３１０が各情報を受信する（ＳＴ５２）。
【００５７】
図９の会員ＩＤ情報判断部３１１が受信された会員ＩＤ番号等を会員ＩＤデータベース３１２を参照してその適否を判断する（ＳＴ５３）（第２の識別情報判断工程の一例）。
会員ＩＤ情報判断部３１１が不適当と判断した場合は、図９のセンタ側エラー情報発信部３１３が会員ＩＤ番号エラー信号を携帯端末本体１１０に発信する（ＳＴ５４）。
次に、図６の携帯端末本体１１０の携帯側エラー情報受信部１３９が会員ＩＤエラー信号を受信し（ＳＴ５５）、表示装置制御部１３８が図２の表示装置１１９に会員ＩＤ番号エラーを表示する。
このため、利用者（甲）は、送信した会員ＩＤ番号等ｎ間違いを知り、その対策を行うことができる。
【００５８】
一方、図９の会員ＩＤ情報判断部３１１で適当、すなわち正規な会員ＩＤ番号等と判断されると、図９の金額演算部３１４が運賃の算出を行うことになる。
図１７は金額演算部３１４が算出したデータ例を示す図である。
図９の決済サーバ３００は緯度経度−バス停変換データベース３１５を有しているので、乗車位置情報の緯度経度情報から乗車バス停ａ（ここでは例として新宿駅西口）を算出することができる。
また、どうように降車位置情報の緯度経度情報から降車バス停ｂ（ここでは例として東京都庁前）を算出することができる。
これで、利用者（甲）は新宿駅西口のバス停ａから乗車し、東京都庁前のバス停ｂで降車したことが分かる（ＳＴ５７）。
次に、運賃精算データベース３１６は、図１０に示すようにバス停間の運賃のテーブルを有しているので、図１７では運賃が２００円であることが分かる（ＳＴ５８）。これらＳＴ５７及びＳＴ５８が精算金額演算工程の一例である。
【００５９】
次に、決済サーバ３００のセンタ側運賃情報発信部３１７が、算出された運賃情報２００円を携帯端末本体１１０へ送信する（ＳＴ５９）（決済装置側通信工程の一例）。
携帯端末装置１１０は図６の携帯側運賃情報受信部１４０で運賃情報２００円を受信し（ＳＴ６０）、携帯側運賃情報発信部１４１がＩＣカード１５０へ運賃情報２００円を発信する（ＳＴ６１）。
次に、ＩＣカード１５０のＩＣカード側運賃情報受信部１７０が運賃情報２００円を受信する（ＳＴ６２）。
図６の残高判断部１７１は個人情報データベース１６２内の入金金額を参照して残高を判断し（ＳＴ６３）、残高が２００円以上ある場合は、減額処理部１７２が２００円減額処理する（ＳＴ６４）（減額処理工程の一例）。
【００６０】
一方、ＳＴ６３で残高が２００円未満の場合は、減額処理部１７２は減額せず、残高判断部１７１が不足情報を生成し、不足情報発信部１７３が不足情報を携帯端末本体１１０に発信する（ＳＴ６６）。
図６の携帯端末本体１１０のＩＣカード情報受信部１３４が不足情報を受信し、表示装置制御部１３８が図２の表示装置１１９に不足情報を表示する（ＳＴ６７）。
これにより、利用者（甲）は残高不足を知ることができ対応処理を行うことができる。
以上で決済ステップが終了する。
【００６１】
以上のように本実施の形態によれば、利用者（甲）がＩＣカード１５０を装着した携帯端末本体１１０を所持すれば、予め入金され、会員ＩＤ番号を登録しているＩＣカード１５０を有していれば、バズの運賃の支払いを現金でなく行うことができるので、バスに乗るための小銭を用意等する必要がなく、バスを利用し易くなる。
また、バスにも整理券発行装置、運賃表示装置等を設置することなく、乗降車認証装置２００のみを設置すればよいのでバスに搭載される装置への投資や負荷を軽減することができる。
さらに、本実施の形態ではＩＣカード１５０に会員ＩＤ番号等や入金金額の情報を格納し、携帯端末本体１１０は、個人情報ではなく各人に共通の情報を処理する構成となっている。
このため、利用者各人が自己専用のＩＣカード１５０を指示していれば、携帯端末本体１１０を複数人で共用することができ、利用者（甲）はより低コストで本実施の形態のバス自動運賃精算システム１０を利用することができる。
【００６２】
なお、本実施の形態では図１７の決済方法にバリューとあるようにＩＣカード１５０内に入金された金額からの処理の例を示したが、バスの利用者がシルバーパスで利用する場合は、その旨の情報を決済サーバ３００へ提供する構成とすることもできる。
【００６３】
（プログラム及びコンピュータ読み取り可能な記録媒体等について）
コンピュータに上述の動作例の識別情報発信工程、第１の識別情報判断工程、課金開始情報生成工程、課金開始情報発信工程、開始位置情報取得工程、課金開始位置情報格納工程、課金終了情報生成工程、課金終了情報発信工程、終了位置情報取得工程、課金終了位置情報格納工程、決済情報発信工程、第２の識別情報判断工程、精算金額演算工程、決済装置側通信工程、減額処理工程等を実行させるための自動精算プログラム等とすることができる。
また、このような自動プログラム等を記録したコンピュータ読み取り可能な記録媒体とすることもできる。
【００６４】
これら自動精算プログラム等をコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００６５】
本発明は、上述の各実施の形態に限定されない。さらに、上述の各実施の形態は、相互に組み合わせて構成するようにしてもよい。
【図面の簡単な説明】
【図１】本発明の自動精算システムの実施の形態であるバス自動運賃精算システムを示す概略図である。
【図２】携帯端末本体の主なハードウエア構成を示す概略図である。
【図３】ＩＣカードの主なハードウエア構成等を示す概略図である。
【図４】乗降車認証装置の主なハードウエア構成等を示す概略図である。
【図５】決済サーバの主なハードウエア構成等を示す概略図である。
【図６】携帯端末本体の主なソフトウエア構成等を示す概略図である。
【図７】ＩＣカード等の主なソフトウエア構成等を示す概略図である。
【図８】乗降車認証装置の主なソフトウエア構成等を示す概略図である。
【図９】決済サーバの主なソフトウエア構成等を示す概略図である。
【図１０】運賃精算データベースの一例を示す図である。
【図１１】バス自動運賃精算システム等の動作等を示す概略フローチャートである。
【図１２】バス自動運賃精算システム等の動作等を示す他の概略フローチャートである。
【図１３】バス自動運賃精算システム等の動作等を示す他の概略フローチャートである。
【図１４】バス自動運賃精算システム等の動作等を示す他の概略フローチャートである。
【図１５】バス自動運賃精算システム等の動作等を示す他の概略フローチャートである。
【図１６】バス自動運賃精算システム等の動作等を示す他の概略フローチャートである。
【図１７】金額演算部が算出したデータ例を示す図である。
【符号の説明】
１０・・・バス自動運賃精算システム、１１・・・基地局、１２・・・決済センタ、１３ａ乃至１３ｄ・・・ＧＰＳ衛星、１００・・・携帯端末装置、１１０・・・携帯端末本体、１１１・・・ＧＰＳ装置、１１２・・・バス、１１３・・・ＣＰＵ、１１４・・・ＲＡＭ、１１５・・・ＲＯＭ、１１６・・・携帯通信装置、１１７・・・本体側ＩＣカードリードライト装置、１１７ａ・・・本体側接続装置、１１８・・・入力装置、１１９・・・ディスプレイ、１２０・・・ハードディスク、１２１・・・コントロール側ＩＦ回路、１３０・・・位置情報取得部、１３１・・・課金開始位置情報データベース、１３２・・・課金終了位置情報データベース、１３３・・・会員ＩＤ情報データベース、１３４・・・ＩＣカード情報受信部、１３５・・・ＩＣカード情報判断部、１３６・・・センタ用情報取得部、１３７・・・センタ用情報発信部、１３８・・・表示装置制御部、１３９・・・携帯側エラー情報受信部、１４０・・・携帯側運賃情報受信部、１４１・・・携帯側情報発信部、１５０・・・ＩＣカード、１５１・・・アンテナ装置、１５２・・・ＩＣ側接続装置、１６０・・・会員ＩＤ情報入力部、１６１・・・金額情報入力部、個人情報データベース、１６３・・・会員ＩＤ情報発信部、１６４・・・乗車認証情報発信部、１６５・・・降車認証情報発信部、１６６・・・認証情報発信部、１６７・・・ＩＣカード側エラー情報受信部、１６８・・・ＩＣカード側エラー情報発信部、１６９・・・金額情報発信部、２００・・・乗降車認証装置、２１０・・・コントローラ、２５０・・・認証側ＩＣカードリードライト装置、２５１・・・リードライト側ＩＦ回路、３００・・・決済サーバ、３０１・・・決済側通信装置。
【図１】
2004246415.tif 000003
【図２】
2004246415.tif 000004
【図３】
2004246415.tif 000005
【図４】
2004246415.tif 000006
【図５】
2004246415.tif 000007
【図６】
2004246415.tif 000008
【図７】
2004246415.tif 000009
【図８】
2004246415.tif 000010
【図９】
2004246415.tif 000011
【図１０】
2004246415.tif 000012
【図１１】
2004246415.tif 000013
【図１２】
2004246415.tif 000014
【図１３】
2004246415.tif 000015
【図１４】
2004246415.tif 000016
【図１５】
2004246415.tif 000017
【図１６】
2004246415.tif 000018
【図１７】
2004246415.tif 000019